(57)【要約】【課題】補正を行う適切なタイミングで画像を撮影し、その画像を記録しておくことで、画像から視覚的に調整内容を確認できるようにする技術を提供すること。【解決手段】撮像装置は、撮影時に位相差ＡＦなどの所定の検出方式で得られる合焦位置を調整するための補正値を設定可能である。撮像装置は、少なくとも、補正値、及び補正値により調整された合焦位置に撮像光学系１０がもたらされた状態で取得した撮影画像の情報を記憶し、再生できるように構成される。【選択図】  図９
2012233930.tif 000002
【特許請求の範囲】
【請求項１】
撮影時に所定の検出方式で得られる合焦位置を調整するための補正値を設定可能な撮像装置であって、
少なくとも、前記補正値、及び前記補正値により調整された合焦位置に撮像光学系がもたらされた状態で取得した撮影画像の情報を記憶し、再生できるように構成されていることを特徴とする撮像装置。
【請求項２】
前記補正値により調整される前の合焦位置に撮像光学系がもたらされた状態で取得した撮影画像の情報も記憶し、再生できるように構成されていることを特徴とする請求項１に記載の撮像装置。
【請求項３】
前記補正値を設定するＡＦ補正手段と、
交換可能なレンズ本体のレンズ情報、前記レンズ情報に対応した前記補正値、及び前記撮影画像の情報を読取る読み取り手段と、
少なくとも、前記レンズ情報、前記レンズ情報に対応した前記補正値、及び前記撮影画像の情報を表示する表示手段と、
有することを特徴とする請求項１または２に記載の撮像装置。
【請求項４】
前記ＡＦ補正手段は、前記表示手段においてユーザーが前記補正値を手動で設定できるように構成されていることを特徴とする請求項１から３の何れか１項に記載の撮像装置。
【請求項５】
前記所定の検出方式は位相差検出方式であり、
前記ＡＦ補正手段は、コントラスト検出方式を用いて前記補正値を算出し、設定できるように構成されていることを特徴とする請求項１から４の何れか１項に記載の撮像装置。
【請求項６】
前記ＡＦ補正手段は、前記補正値を得る焦点距離を、撮像光学系の全焦点距離から選択できるように構成されていることを特徴とする請求項１から５の何れか１項に記載の撮像装置。
【請求項７】
前記ＡＦ補正手段は、前記補正値を得る焦点距離を、望遠端及び広角端に設定できるように構成されていることを特徴とする請求項６に記載の撮像装置。
【請求項８】
撮影時に所定の検出方式で得られる合焦位置を調整するための補正値を設定可能な撮像装置におけるＡＦ補正表示方法であって、
前記補正値を設定するステップと、
前記補正値を用いて調整された合焦位置に撮像光学系がもたらされた状態で撮影画像の情報を取得するステップと、
少なくとも、前記補正値及び前記撮影画像の情報を再生できるように記憶するステップと、
を有することを特徴とするＡＦ補正表示方法。
【請求項９】
前記補正値を設定するステップは、
前記所定の検出方式とは別の検出方式により合焦位置の情報を取得するステップと、
前記別の検出方式により取得された合焦位置のときに前記所定の検出方式により検出される当該合焦位置の情報を取得するステップと、
前記別の検出方式による合焦位置の情報と前記所定の検出方式による当該合焦位置の情報とに基づき、前記補正値を算出するステップと、
を含むことを特徴とする請求項８に記載のＡＦ補正表示方法。
【請求項１０】
更に、前記補正値を手動で調整するステップと、
前記調整後の補正値により調整される前の合焦位置に撮像光学系がもたらされた状態で撮影画像の情報を取得するステップと、を有し、
前記記憶するステップでは、少なくとも、前記補正値、前記調整後の補正値、及び調整前後の補正値による前記撮影画像の情報を再生できるように記憶することを特徴とする請求項８または９に記載のＡＦ補正表示方法。
【請求項１１】
前記補正値を設定するステップは、表示手段を用いて前記補正値を手動で設定するステップであることを特徴とする請求項８に記載のＡＦ補正表示方法。
【発明の詳細な説明】
【技術分野】
【０００１】
本発明は、撮像装置に関し、特に、所定のＡＦ（オートフォーカス）検出方式（典型的には位相差検出方式）による合焦位置を補正ないし調整できる機能を有する撮像装置などに関する。
【背景技術】
【０００２】
従来、位相差ＡＦで合焦させる一眼レフカメラは、使用していると、レンズやカメラ本体各々の耐久性に起因して合焦位置と認識される位置が変化し、当初より合焦精度が落ちることがあった。レンズの場合、正しい合焦位置へレンズを駆動するはずが、耐久性によるガタが発生して、レンズ停止位置がずれてしまう場合が考えられる。カメラ本体の場合、位相差検出方式で用いるミラーが駆動されているうちにミラー角度が変化していき、ＡＦセンサへの被写体光の入り方が変化して正しい合焦位置からずれた位置を合焦位置だと認識してしまう場合が考えられる。こうした問題に対して、レンズの焦点距離に応じて合焦位置の補正値を持ち、撮影時のＡＦ補正を行う方法が知られている（特許文献１参照））
【先行技術文献】
【特許文献】
【０００３】
【特許文献１】特開２０００−２９２６８４号公報
【発明の概要】
【発明が解決しようとする課題】
【０００４】
上記先行技術での補正値は、指定した焦点調整領域（ＡＦフレーム）において正しい合焦位置に調整するための値、つまりジャストピントを示す値である。ユーザーによっては更に、撮影対象によって前ピン／後ピンの合焦位置の微調整（例えば位相差ＡＦによる合焦位置に対して合焦位置を前ピンまたは後ピン側に調整すること）も行うことがある。ここで、こうした微調整まで行った調整による補正値を見ても、その値から、過去にどのような調整をしたのか、指定したＡＦフレームでのジャストピントの補正値なのか、などを判断することが容易ではないという問題があった。
【０００５】
本発明は、このような課題を鑑みてなされたものである。その目的は、補正や調整を行う適切なタイミングで画像を撮影し、その画像を再生可能に記録しておくことで、画像から視覚的に調整内容を確認できる様にする技術を提供することである。
【課題を解決するための手段】
【０００６】
上記目的を達成するために、本発明の撮像装置は、撮影時に位相差ＡＦなどの所定の検出方式で得られる合焦位置を調整するための補正値を設定可能な撮像装置であって、次の様に構成される。少なくとも、前記補正値、及び前記補正値により調整された合焦位置にレンズがもたらされた状態で取得した撮影画像の情報を記憶し、再生できるように構成される。
【０００７】
また、上記目的を達成するために、本発明のＡＦ補正表示方法は、撮影時に所定の検出方式で得られる合焦位置を調整するための補正値を設定可能な撮像装置におけるＡＦ補正表示方法であって、少なくとも次のステップを有する。前記補正値を設定するステップ。前記補正値を用いて調整された合焦位置にレンズがもたらされた状態で撮影画像の情報を取得するステップ。少なくとも、前記補正値及び前記撮影画像の情報を再生できるように記憶するステップ。
【発明の効果】
【０００８】
本発明によれば、前ピン／後ピンの合焦位置の微調整などを行ったとしても、補正を行う適切なタイミングで画像を撮影し、その画像を記録しておくことで、画像から視覚的に調整内容を確認することが可能になる。
【図面の簡単な説明】
【０００９】
【図１】ファインダー撮影時及びライブビュー撮影時のレンズ交換式一眼レフデジタルカメラの内部構造を示す垂直断面図。
【図２】実施形態１、２におけるＡＦ補正処理を説明するフローチャート。
【図３】ＡＦフレーム設定、望遠端選択操作、及び広角端選択操作のＧＵＩの例を示す図。
【図４】実施形態１、２における撮影処理を説明するフローチャート。
【図５】実施形態１、２におけるキャリブレーション処理、及び補正値指定のＧＵＩの例を示す図。
【図６】実施形態１、２におけるキャリブレーション調整を説明するフローチャート。
【図７】実施形態１におけるキャリブレーション統合処理を説明するフローチャート。
【図８】実施形態２におけるキャリブレーション統合処理を説明するフローチャート。
【図９】実施形態１における補正値を用いた撮影処理を説明するフローチャート、及び実施形態２、３における補正値表示のＧＵＩの例を示す図である。
【図１０】実施形態３、４における撮影画像表示のＧＵＩの例を示す図。
【図１１】実施形態３における望遠端画像及び広角端画像の表示処理を説明するフローチャート。
【図１２】実施形態４における望遠端画像の表示処理を説明するフローチャート。
【図１３】実施形態４における広角端画像の表示処理を説明するフローチャート。
【発明を実施するための形態】
【００１０】
本発明の特徴は、所定の検出方式で得られる合焦位置を調整するための補正値を設定可能にして、少なくとも、補正値、及び補正値により調整された合焦位置に撮像光学系がもたらされた状態で取得した撮影画像の情報を記憶し、再生できるようにすることである。こうした考え方に基づいて、本発明の撮像装置及びＡＦ補正表示方法は上記課題を解決するための手段のところで述べた様な基本的な構成を有する。ここにおいて、補正値は、他の検出方式で自動的または半自動的（後述の説明を参照）に得られる合焦位置の情報と前記所定の検出方式で得られる当該合焦位置の情報との差分を用いて設定されたり、手動で設定されたりする。そして、再生できるように記憶される情報には、補正値により調整される前の合焦位置に撮像光学系がもたらされた状態で取得した撮影画像の情報を加えてもよい。
【００１１】
以下に、図を用いて本発明の実施形態を詳細に説明する。
［実施形態１］
本発明の実施形態１として、レンズ交換可能なデジタル一眼レフカメラシステムについて説明する。図１（ａ）、図１（ｂ）は本実施形態の撮像装置であるカメラの概略断面図である。レンズ本体（１）内に収容された撮像光学系（１０）は、１つ又は複数のレンズ群から構成され、その全てもしくは一部を移動させることで焦点距離（ズーム位置）やフォーカス位置（焦点調節状態）を変化させることができる。レンズ駆動手段（１１）は、レンズの全てもしくは一部を移動させて焦点調節状態を調整する駆動手段である。レンズ状態検出手段（１２）は、撮像光学系（１０）の焦点距離、及びフォーカス位置を検出する検出手段である。レンズ制御手段（１３）は、ＲＯＭ等で構成されたレンズ記憶手段（１４）を含むレンズ本体（１）全体の制御を司る制御手段である。接点（１５）は、レンズ本体（１）及びカメラ本体（２）に具備された接点であり、互いに装着された状態では接点（１５）を介して各種の情報の通信や電源の供給が行われる。
【００１２】
主ミラー（２０）は、ハーフミラーで構成され、カメラの動作状態に応じて回動可能であり、被写体をファインダーで観察する時は図１（ａ）に記載の通り、撮影光路へ斜設され、レンズ本体（１）からの光束を折り曲げて後述のファインダー光学系へ導く。撮影時やライブビュー時は図１（ｂ）に記載の通り、撮影光路から退避して、レンズ本体（１）からの光束を後述の撮像素子（２４）へ導く。サブミラー（２１）は、主ミラー（２０）とともに回動し、主ミラー（２０）が撮影光路へ斜設される時に図１（ａ）に記載の通り、主ミラー（２０）を透過した光束を折り曲げて後述のＡＦセンサ（２２）へ導く。撮影時やライブビュー時は図１（ｂ）に記載の通り、主ミラー（２０）とともに回動して撮影光路から退避する。ＡＦセンサ（２２）は、２次結像レンズや複数のＣＣＤまたはＣＭＯＳからなるエリアセンサ等から構成され、公知の方法である位相差方式で焦点検出を行う。
【００１３】
シャッター（２３）は、レンズ本体（１）からの光束を後述の撮像素子（２４）に入射制御するためにあり、通常は図１（ａ）に記載の通り閉じた状態で、撮影時やライブビュー時に図１（ｂ）に記載の通り開いた状態となる。撮像素子（２４）は、イメージセンサとその周辺回路で構成されている。撮像素子（２４）には、イメージセンサＣＣＤやＣＭＯＳセンサなどが用いられ、撮像光学系（１０）によって結像された被写体像を電気信号に変換する。ピント板（３０）は、レンズ本体（１）の一次結像面に配置され、入射面には集光レンズが設けられ、射出面には被写体像（ファインダー像）が結像する。ペンタプリズム（３１）は、ファインダー光路を変更するもので、ピント板（３０）の射出面に結像した被写体像を正立正像に補正する。接眼レンズ（３２）は、ユーザーがファインダーをのぞいた時、目に合わせて視度を調節できるような構成になっている。ピント板（３０）、ペンタプリズム（３１）、接眼レンズ（３２）により構成されている光学系を、ファインダー光学系と称する。ＡＥセンサ（３３）は、多分割された撮像領域内の各領域に対応したフォトダイオードから構成され、ピント板（３０）の射出面に結像した被写体像の輝度を測定する。
【００１４】
メカ制御手段（４０）は、カメラ部の制御とカメラ全体の制御を行うマイクロコンピュータ（中央処理装置；ＭＰＵ）である。レンズ本体（１）に対してＡＦ補正、レンズ駆動、絞り駆動などのレンズ制御も行う。デジタル制御手段（４１）は、画像データの各種制御を行うメモリコントローラ（ＩＣＵ）である。このデジタル制御手段（４１）は、撮像素子（２４）で撮影された画像のコントラスト検出を行い合焦位置を判定するコントラスト方式の焦点検出手段を用いることができる。カメラ記憶手段（４２）は、本ＡＦ補正システムで制御を行うための各種プログラム、設定、ＡＦ補正に係る補正データ等を格納している。各種プログラムは、レンズ本体（１）からレンズ情報を読取るレンズ情報読み取り手段、ＡＦ補正の補正値を読取るキャリブレーション情報読み取り手段、撮影した画像を読取る補正画像読み取り手段、レンズ補正情報表示手段、ＡＦ補正の補正値を設定した際の画像を撮影する補正画像撮影手段などを含む。
【００１５】
液晶モニタ（４３）は、撮影した画像や各種の撮影情報を表示するものである。記録媒体（５０）は、メモリカードやハードディスクなどの画像データを記録するものである。この記録媒体（５０）は、カメラ本体に対して着脱可能である。なお、図１（ａ）、図１（ｂ）には不図示であるが、ＳＥＴボタンとキャンセルボタンが設けられている。液晶モニタ４３にＳＥＴボタン表示がされている場合、このＳＥＴボタンを押すことで、決定や選択等の操作ができる。また、液晶モニタ（４３）にキャンセルボタン表示がされている場合、このキャンセルボタンを押すことで、１つ前の状態に戻る、特定のモードを終了する等の操作ができる。
【００１６】
本実施形態における、コントラスト検出方式を用いた半自動または全自動の位相差ＡＦの補正機能（以下、キャリブレーションとも言う）を有したレンズ交換可能なカメラシステムについて説明する。デジタル制御手段（４１）には、コントラスト検出方式による出力と、ＡＦセンサ（２２）からの出力を制御するメカ制御手段（４０）の出力との差分による補正値を算出する演算手段が設けられている。該演算手段は、補正値を設定するＡＦ補正手段の一部をなす。該演算手段により算出された差分量は、補正値情報としてカメラ記憶手段（４２）に記憶される。本実施形態におけるカメラシステムは、前述した補正値情報を算出し、記憶するためのキャリブレーションモードが設定可能に構成されている。
【００１７】
キャリブレーション処理の例を図２に示すフローチャートを用いて説明する。当該処理は、カメラ記憶手段（４２）に記憶されたキャリブレーションプログラムをメカ制御手段（４０）が実行することにより実施される。ステップＳ１０２において、レンズ本体（１）との通信によりレンズ情報を取得しステップＳ１０４へ進む。ここでレンズ情報は、レンズＩＤ、レンズ名、シリアル番号を含む。また、ここでは、レンズ情報をレンズ本体（１）との通信により取得しているが、事前に通信を行いカメラ記憶手段（４２）に記憶したものを利用しても良い。ステップＳ１０４において、ステップＳ１０２で取得したレンズ情報に対応する補正値などを含むキャリブレーション情報をカメラ記憶手段（４１）から取得しステップＳ１０６ヘ進む。ここで、レンズ情報に対応するキャリブレーション情報がない場合には、デフォルトのキャリブレーション情報を用いる。ステップＳ１０６において、ユーザーにＡＦフレームの選択をさせステップＳ１０８ヘ進む。ＡＦフレームの選択に関する画面を図３（ａ）を用いて説明する。ＡＦフレームの選択に関する画面（２００）は、複数のＡＦフレーム（２０２）と、選択されたＡＦフレーム（２０４）とで構成される。選択されたＡＦフレームは、複数のＡＦフレーム（２０２）とは識別容易な表示になっていて、不図示の操作部材を用いて移動させることが出来る。ユーザーはこの画面を用いてＡＦフレームを選択する。
【００１８】
図２に戻って、ステップＳ１０６においてＡＦフレームが選択されると、ステップＳ１０８において、望遠端を選択しステップＳ１１０へ進む。望遠端の選択に関する画面を図３（ｂ）を用いて説明する。望遠端の選択に関する画面（３００）は、メッセージを表示する領域（３０２）により構成される。この領域にレンズを望遠端に移動させるメッセージを表示し、ユーザーの操作を促す。
【００１９】
図２に戻って、ステップＳ１０８において望遠端が選択されると、ステップＳ１１０においてキャリブレーションを行い、ステップＳ１１２ヘ進む。キャリブレーションのフローは後述する。ステップＳ１１２において撮影を行い、ステップＳ１１４へ進む。撮影処理の例を図４に示すフローチャートを用いて説明する。ステップＳ１５２においてレンズのフォーカス情報を取得し、ステップＳ１５４へ進む。ステップＳ１５４において、ステップＳ１５２で取得したフォーカス情報がマニュアルフォーカスかを判断し、マニュアルフォーカスの場合は、ステップＳ１６２へ進む。マニュアルフォーカスではない場合は、ステップＳ１５６へ進む。ステップＳ１５６において、レンズのフォーカス設定をマニュアルに設定し、ステップＳ１５８へ進む。ステップＳ１５８において、撮影を行い、ステップＳ１６０へ進む。ステップＳ１６０において、レンズのフォーカス設定をオートに設定し、処理を終了する。ステップＳ１６２においては、撮影を行い、処理を終了する。
【００２０】
図２に戻って、ステップＳ１１４において、ステップＳ１１２で撮影された画像をカメラ記憶手段（４２）に保存し、ステップＳ１１６へ進む。ここでの撮影画像は、ステップＳ１０６で選択されたＡＦフレーム情報に基づきＡＦフレーム周辺の領域のみを保存しても良いし、撮影画像全体を保存しても良い。ステップＳ１１６において、キャリブレーション調整を行い、ステップＳ１１８へ進む。キャリブレーション調整のフローは後述する。ステップＳ１１８において、撮影を行い、ステップＳ１２０へ進む。撮影処理はステップＳ１１２で説明した内容と同様である。ステップＳ１２０において、ステップＳ１１８で撮影された画像をカメラ記憶手段（４２）に保存し、ステップＳ１２２へ進む。ここでの撮影画像の領域に関する考え方は、ステップＳ１１４と同様である。ステップＳ１２２において、キャリブレーション情報を保存し、ステップＳ１２４へ進む。ここでキャリブレーション情報は、装着されているレンズのレンズＩＤ、レンズ名、シリアル番号、及び望遠端を示すＩＤと望遠端のＡＦフレーム位置と望遠端の補正値を含む。
【００２１】
ここで図２のステップＳ１１０のキャリブレーションのフローについて、図５（ａ）を用いて説明する。このフローに入る前に、被写体を決めておく作業が必要であるので、被写体を決めたところでキャリブレーションをスタートさせる。図５（ａ）のステップＳ２０２において、コントラスト検出方式（ＴＶＡＦ）によって被写体に合焦させ、ステップＳ２０６に進む。ステップＳ２０６において、メカ制御手段（４０）がレンズ制御手段（１３）に信号を送り、レンズ駆動手段（１１）を通じてフォーカスレンズを所定位置に移動させ、ステップＳ２０８へ進む。ステップＳ２０８において、撮像素子（２４）から得られる画像信号のコントラストをデジタル制御手段（４１）に検出させ、ステップＳ２１０へ進む。ステップＳ２１０において、所定回数Ｎに達するまで、Ｓ２０６でのフォーカスレンズの微小移動とＳ２０８でのコントラスト検出とを繰り返し行わせる。所定回数に達したらステップＳ２１２へ進む。所定回数に達しなければＳ２０６へ進む。ステップＳ２１２において、デジタル制御手段（４１）が、Ｎ個のコントラスト検出結果のうち最もコントラストの高い画像信号が得られたフォーカス位置を合焦位置と判定し、メカ制御手段（４０）に信号を送り、ステップＳ２１４へ進む。メカ制御手段（４０）はそのときのレンズ状態検出手段（１２）からの位置情報を、レンズ制御手段（１３）を通じて得て、合焦位置情報を作成する。ここにおいて、ユーザーがレンズのピントリングをまわすことにより、ライブビュー上でピント合わせを行い、手動操作を交えた半自動で高コントラストのフォーカス位置を決定することもできる。
【００２２】
ステップＳ２１４において、ステップＳ２１２で得られた最もコントラストが高いフォーカス位置にレンズ駆動手段（１１）を通じて、フォーカスレンズを移動させ、ステップＳ２１６へ進む。ステップＳ２１６において、メカ制御手段（１３）が、ＡＦセンサ（２２）に位相差ＡＦによる焦点検出を行わせる。そして、そのときの検出結果、すなわち焦点ずれ量（デフォーカス量）をフォーカスレンズの合焦方向への駆動量に換算した値を、レンズ状態検出手段（１２）からのフォーカス位置情報に加えて合焦位置情報を作成し、ステップＳ２２０へ進む。ステップＳ２２０において、合焦位置補正値をデジタル制御手段（４１）に算出させ、ステップＳ２２２へ進む。合焦位置補正値は、メカ制御手段（４０）がデジタル制御手段（４１）により合焦判定させたときの合焦位置情報と、ＡＦセンサ（２２）による検出結果から得られた合焦位置情報との差分である。ステップＳ２２２において、デジタル制御手段（４１）により算出された合焦位置補正値をカメラ記憶手段（４２）に記憶させ、キャリブレーション処理を終了する。この様に、本実施形態では、所定の検出方式は位相差検出方式であり、ＡＦ補正手段は、コントラスト検出方式を用いて前記補正値を算出し、設定できる手段を含む。
【００２３】
図２のステップＳ１１６のキャリブレーション調整のフローについて、図５（ｂ）と図６を用いて説明する。まず、キャリブレーション調整に関する画面を図５（ｂ）を用いて説明する。キャリブレーション調整画面（４００）は、モード（４０１）と目盛り（４０２）と指標（４０４）とＳＥＴボタン（４０６）とキャンセルボタン（４０８）で構成される。モード（４０１）には、現在のモード（補正値の指定のモード）を表示する。目盛り（４０２）には、補正値を表すための目盛りを表示する。この目盛りは、レンズの開放Ｆ値によって１目盛りの表す補正量が変化する「スケール表示」になっている。指標（４０４）には、補正値を表すための指標を表示する。この指標が目盛りのどこにあるかによって、補正値が表される。初期状態の場合は±０の位置に表示される。ＳＥＴボタン（４０６）は、設定を確定するボタンである。キャンセルボタンは、設定をキャンセルするボタンである。
【００２４】
次に、キャリブレーション調整のフローを図６を用いて説明する。ステップＳ２５２において、不図示の操作部材を用いて補正値を入力し、ステップＳ２５４へ進む。この操作部材は、ユーザーが補正値を手動で設定できるように構成されたＡＦ補正手段の一部をなす。ステップＳ２５４において、撮影を行い、ステップＳ２５６へ進む。撮影処理は図２のステップＳ１１２における撮影内容と同様であり、上記操作部材を用いて入力された補正値に基づいてフォーカスレンズが駆動されて行われる撮影である。ステップＳ２５６において、撮影画像を画面に表示し、ステップＳ２５８へ進む。ステップＳ２５８において、キャンセル釦が押された場合（ユーザーが撮影画像を見て再調整したいときなどである）は、ステップＳ２５２へ進む。キャンセル釦が押されていていない場合は、ステップＳ２６０へ進む。ステップＳ２６０において、ＳＥＴ釦が押された場合は、ステップＳ２６２へ進む。ＳＥＴ釦が押されていない場合は、ステップＳ２５８へ進む。ステップＳ２６２において、キャリブレーション調整前の合焦位置補正値にキャリブレーション調整で設定した補正値（これがゼロであるときもあり得る）を加算し、ステップＳ２６４へ進む。ステップＳ２６４において、ステップＳ２６２で算出された合焦位置補正値をカメラ記憶手段（４２）に記憶させ、処理を終了する。この様に、本実施形態では、補正値を設定するステップは、次のステップを含む。位相差方式とは別のコントラスト方式で合焦位置情報を得るステップと、コントラスト方式で取得された合焦位置のときに位相差方式で検出される当該合焦位置の情報を得るステップと、両検出方式による合焦位置情報の差分に基づき補正値を得るステップを含む。また更に、補正値を手動で調整するステップを有する。
【００２５】
図２に戻って、ステップＳ１２２において、キャリブレーション情報が保存されると、ステップＳ１２４において、ユーザーに広角端の選択をさせステップＳ１２６へ進む。広角端の選択に関する画面を図３（ｃ）を用いて説明する。広角端の選択に関する画面（３００）は、メッセージを表示する領域（３０４）により構成される。この領域に、レンズを広角端に移動させるメッセージを表示し、ユーザーの操作を促す。図２のステップＳ１２４において、広角端が選択されると、ステップＳ１２６において、キャリブレーションを行いステップＳ１２８へ進む。ステップＳ１２８において、撮影を行い、ステップＳ１３０へ進む。撮影処理はステップＳ１１２で説明した内容と同様である。ステップＳ１３０において、ステップＳ１２８で撮影された画像をカメラ記憶手段（４２）に保存し、ステップＳ１３２へ進む。ここでの撮影画像の領域に関する考え方は、ステップＳ１１４と同様である。
【００２６】
次にステップＳ１３２において、キャリブレーション調整を行い、ステップＳ１３４へ進む。ステップＳ１３４において、撮影を行い、ステップＳ１３６へ進む。撮影処理はステップＳ１１２で説明した内容と同様である。ステップＳ１３６において、ステップＳ１３４で撮影された画像をカメラ記憶手段（４２）に保存し、ステップＳ１３８へ進む。ここでの撮影画像の領域に関する考え方は、ステップＳ１１４と同様である。ステップＳ１３８では、キャリブレーション情報を保存し、ステップＳ１４０へ進む。ここでのキャリブレーション情報は、装着されているレンズのレンズＩＤ、レンズ名、シリアル番号、広角端を示すＩＤと広角端のＡＦフレーム位置と広角端の補正値を含む。この様に、本実施形態では、キャリブレーション情報を保持するステップでは、補正値、調整後の補正値、及び調整前後の補正値による合焦位置における撮影画像を再生できるように保持する。
【００２７】
ステップＳ１４０において、キャリブレーション情報の統合を行い、処理を終了する。キャリブレーションの統合とは、キャリブレーション処理により、調整されたキャリブレーション情報や撮影情報を結びつけ、かつ情報の有効化を行う処理のことである。キャリブレーション統合のフローを図７を用いて説明する。ステップＳ４０２において、ステップＳ１１２及びステップＳ１１８において保存された撮影画像のＥｘｉｆデータを編集してキャリブレーション情報を埋め込み、ステップＳ４０４へ進む。ここでキャリブレーション情報は、装着されているレンズのレンズＩＤ、レンズ名、シリアル番号、及び望遠端を示すＩＤと望遠端のＡＦフレーム位置と望遠端の補正値を含む。ステップＳ４０４において、ステップＳ４０２において編集された編集画像を記録媒体（５０）に保存し、ステップＳ４０６へ進む。ステップＳ４０６において、ステップＳ１１２及びステップＳ１１８においてカメラ記憶手段（４２）に保存された撮影画像を削除し、ステップＳ４０８へ進む。
【００２８】
ステップＳ４０８において、ステップＳ１２８及びステップＳ１３４において保存された撮影画像のＥｘｉｆデータを編集してキャリブレーション情報を埋め込み、ステップＳ４１０へ進む。ここでキャリブレーション情報は、装着されているレンズのレンズＩＤ、レンズ名、シリアル番号、及び広角端を示すＩＤと広角端のＡＦフレーム位置と広角端の補正値を含む。ステップＳ４１０において、ステップＳ４０８において編集された編集画像を記録媒体（５０）に保存し、ステップＳ４１２へ進む。ステップＳ４１２において、ステップＳ１２８及びステップＳ１３４においてカメラ記憶手段（４２）に保存された撮影画像を削除し、ステップＳ４１４へ進む。ステップＳ４１４において、ステップＳ１２６で保存されたキャリブレーション情報を有効化し、ステップＳ４１６へ進む。有効化により、その後の撮影において、キャリブレーションで取得した補正値を利用した撮影を行うことが出来る。ステップＳ４１６において、ステップＳ１３８で保存されたキャリブレーション情報を有効化し、処理を終了する。ここで、「有効化」することの意義は次の通りである。本実施形態では、複数のズーム位置でキャリブレーション補正値を計算するため、シーケンスの途中で異常終了などの割り込みがあった場合に、それらの補正値が不完全となってしまう恐れがある。そこで、全情報が揃った際に、それが有効な情報としてフラグを立てる必要があるとして、「有効化」の処理を行う。
【００２９】
ここで、上記キャリブレーションとキャリブレーション調整で取得した補正値を用いた撮影のフローについて、図９を用いて説明する。ステップＳ３０２において、レリーズボタンを半押しの状態（１ｓｔレリーズ）にして、ステップＳ３０４ヘ進む。ステップＳ３０４において、ＡＦセンサ（２２）により位相差方式で焦点検出を行い、ステップＳ３０６へ進む。ステップＳ３０６では、レンズ状態検出手段（１２）で、レンズの焦点距離やフォーカス位置などのレンズ情報を検出して、ステップＳ３０８へ進む。ステップＳ３０８においては、このＡＦセンサ（２２）の焦点検出結果から、撮像レンズ毎に固有の補正値及び前記キャリブレーションで作成した焦点距離に応じた補正値情報をカメラ記憶手段（４２）より取り出す。そして、これを用いて合焦位置情報の補正を行い、ステップＳ３１０へ進む。ここで、合焦位置情報の補正は、前記望遠端と広角端における補正値情報に基づき例えば線形補間方法による算出を行って行われる。ステップＳ３１０では、これらの補正された合焦位置情報を基にレンズ駆動手段１１によってレンズを駆動し、合焦動作を完了して、ステップＳ３１２へ進む。ステップＳ３１２においては、レリーズボタンを全押し（２ｎｄレリーズ）して、ステップＳ３１４へ進む。ステップＳ３１４において、撮影が行われ、処理を終了する。
【００３０】
本実施形態では、キャリブレーション情報を望遠端と広角端に分けて記憶しているが、望遠端と広角端のキャリブレーション情報を１つにまとめて記憶しても良い。この場合のキャリブレーション情報は、装着されているレンズのレンズＩＤ、レンズ名、シリアル番号、望遠端を示すＩＤと望遠端のＡＦフレーム位置と望遠端の補正値、さらに、広角端を示すＩＤと広角端のＡＦフレーム位置と広角端の補正値を含む。
【００３１】
以上、このように補正を行う適切なタイミングで画像を撮影し、その画像を再生可能に記録しておくことで、前ピン／後ピンの合焦位置の微調整などを行ったとしても、画像から視覚的に調整内容を確認することが可能になる。さらに、キャリブレーションの再調整時のユーザーの処理効率を高めることが可能になる。
【００３２】
本実施形態では、ＡＦ補正手段は、望遠端及び広角端における補正値を設定できるように構成されているが、補正値を得る焦点距離（ズーム位置）を、レンズの全焦点距離から、ユーザーの判断で選択できるように構成することもできる。そして、表示手段により、各焦点距離における補正値を一覧で表示することができる。コントラスト検出方式で位相差ＡＦの補正値を算出して設定する場合に、撮像素子の撮像面の情報によるコントラスト検出方式を用いることができるが、被写体像の輝度を測定するＡＥセンサ（３３）の情報によるコントラスト検出方式を用いることもできる。また、ＡＦ補正手段において補正値を設定する焦点距離は、補正値を設定する焦点距離を選んで提示し、その中から実際に補正値を設定する焦点距離を選択できるように構成することができる。
【００３３】
［実施形態２］
実施形態２を説明する。実施形態２は、図２のステップＳ１４０のキャリブレーション情報の統合のシーケンスについて実施形態１とは異なる。図８を用いて具体的に説明する。ステップＳ４２２において、ステップＳ１１２及びステップＳ１１８において保存された撮影画像とステップＳ１２２で保存されるキャリブレーション情報を結びつけるためにメタデータファイルを作成し、ステップＳ４３２へ進む。ここでキャリブレーション情報は、装着されているレンズのレンズＩＤ、レンズ名、シリアル番号、及び望遠端を示すＩＤと望遠端のＡＦフレーム位置と望遠端の補正値を含む。また、メタデータファイルには、レンズＩＤ、レンズ名、シリアル番号、望遠端を示すＩＤと、ステップＳ１１２及びステップＳ１１８で撮影された望遠端の撮影画像ファイル名を含む。
【００３４】
ステップＳ４３２において、ステップＳ１１２及びステップＳ１１８において保存された撮影画像を記録媒体（５０）に保存し、ステップＳ４０６へ進む。ステップＳ４２４において、ステップＳ１２８及びステップＳ１３４において保存された撮影画像とステップＳ１３８で保存されるキャリブレーション情報を結びつけるためにメタデータファイルを作成し、ステップＳ４３４へ進む。ここでキャリブレーション情報は、装着されているレンズのレンズＩＤ、レンズ名、シリアル番号、及び広角端を示すＩＤと広角端のＡＦフレーム位置と広角端の補正値を含む。また、メタデータファイルには、レンズＩＤ、レンズ名、シリアル番号、広角端を示すＩＤ、ステップＳ１２８、及びステップＳ１３４で撮影された広角端の撮影画像ファイル名を含む。ステップＳ４３４において、ステップＳ１２８及びステップＳ１３４において保存された撮影画像を記録媒体（５０）に保存し、ステップＳ４１２へ進む。図８において、ステップＳ４０６、ステップＳ４１２、ステップＳ４１４、ステップＳ４１６については実施形態１の図７のものと同じである。
【００３５】
本実施形態では、キャリブレーション情報を望遠端、及び広角端に分けて記憶しているが、望遠端と広角端のキャリブレーション情報を１つにまとめて記憶しても良い。この場合のキャリブレーション情報は、装着されているレンズのレンズＩＤ、レンズ名、シリアル番号、望遠端を示すＩＤと望遠端のＡＦフレーム位置と望遠端の補正値、さらに、広角端を示すＩＤと広角端のＡＦフレーム位置と広角端の補正値を含む。
【００３６】
本実施形態でも、キャリブレーション情報を望遠端と広角端に分けて記憶しているが、実施形態１と同様なことができる。また、本実施形態では、メタデータファイルを望遠端、及び広角端に分けて記憶しているが、望遠端と広角端のメタデータファイルを１つにまとめて記憶しても良い。この場合のメタデータファイルは、装着されているレンズのレンズＩＤ、レンズ名、シリアル番号、望遠端を示すＩＤ、望遠端の撮影画像ファイル名、さらに、広角端を示すＩＤと広角端の撮影画像ファイル名を含む。
【００３７】
以上、撮影後にＥｘｉｆデータを編集できない場合でも、メタデータファイルを利用してキャリブレーション情報と撮影画像を結びつけることで、前ピン／後ピンの合焦位置の微調整などを行ったとしても、画像から視覚的に調整内容を確認することが可能になる。さらに、再調整時のユーザーの処理効率を高めることが可能になる。
【００３８】
［実施形態３］
実施形態３では、実施形態１で調整された補正値を表示する仕組みについて具体的に説明する。調整による補正値の表示に関する画面を図９（ｂ）を用いて説明する。調整による補正値の表示画面（５００）は、タイトル（５０１）と目盛り（５０２）と指標（５０３）、（５０４）と望遠端画像表示ボタン（５０５）と広角端画像表示ボタン（５０６）とキャンセルボタン（５０９）で構成される。指標（５０３）、（５０４）は同じように描かれているが、実際は色などにより互いに識別可能になっている。タイトル（５０１）には、補正値の表示という様な画面タイトルを表示する。目盛り（５０２）には、補正値を表すための目盛りを表示する。この目盛りは、レンズの開放Ｆ値によって１目盛りの表す補正量が変化する「スケール表示」になっている。指標（５０３）には、望遠端の補正値を表すための指標を表示する。この指標が目盛りのどこにあるかによって、補正値が表される。初期状態の場合は±０の位置に表示される。指標（５０４）には、広角端の補正値を表すための指標を表示する。この指標が目盛りのどこにあるかによって、補正値が表される。初期状態の場合は±０の位置に表示される。望遠端画像表示ボタン（５０５）は、望遠端画像表示画面に遷移するボタンである。このボタンを押すことにより、実施形態１で補正時に撮影した望遠端の画像を表示する。広角端画像表示ボタン（５０６）は、広角端画像表示画面に遷移するボタンである。このボタンを押すことにより、実施形態１で補正時に撮影した広角端の画像を表示する。キャンセルボタン（５０８）は、画面表示をキャンセルするボタンである。
【００３９】
次に撮影画像表示に関する画面を図１０を用いて説明する。本画面は、望遠端画像表示ボタン（５０５）と広角端画像表示ボタン（５０６）を押した際に表示される。撮影画像の表示画面（６００）は、画像表示領域（６０２）とＡＦフレーム枠（６０４）と画像切替ボタン（６０６）と拡大縮小ボタン（６０８）とキャンセルボタン（６１０）で構成される。画像表示領域（６０２）には読み込まれた画像を表示する。また、拡大縮小などの加工された画像も表示する。ＡＦフレーム枠（６０４）は、読み込まれたキャリブレーション情報に含まれるＡＦフレーム枠情報に基づき表示する。画像切替ボタン（６０６）は、補正前後の撮影画像の表示を切り替えるためのボタンである。このボタンを押した後、不図示の操作部材により撮影画像を切り替えることが可能である。拡大縮小ボタン（６０８）は、表示されている画像を拡大縮小するためのボタンである。このボタンを押した後、不図示の操作部材により撮影画像の拡大縮小表示をすることが可能である。キャンセルボタンは、図１０の撮影画像の表示画面（６００）から図９（ｂ）の補正値の表示画面（５００）に戻るためのボタンである。
【００４０】
ここで、補正ないし調整値の表示に関するフローについて、図１１（ａ）を用いて説明する。本フローは、図９（ｂ）の補正値の表示画面（５００）において望遠端画像表示ボタン（５０５）が押されたときに実行される。ステップＳ５０２において、レンズ本体（１）との通信によりレンズ情報を取得しステップＳ５０４へ進む。ここでレンズ情報は、レンズＩＤ、レンズ名、シリアル番号を含む。また、ここでは、レンズ情報をレンズ本体（１）との通信によりレンズ情報を取得しているが、事前に通信を行いカメラ記憶手段（４２）に記憶したものを利用しても良い。ステップＳ５０４において、ステップＳ１０２で取得したレンズ情報に対応するキャリブレーション情報をカメラ記憶手段（４１）から取得しステップＳ５０６ヘ進む。ここでレンズ情報に対応するキャリブレーション情報がない場合には、デフォルトのキャリブレーション情報を用いる。ここでキャリブレーション情報は、装着されているレンズのレンズＩＤ、レンズ名、シリアル番号、望遠端を示すＩＤと望遠端のＡＦフレーム位置と望遠端の補正値、さらに、広角端を示すＩＤと広角端のＡＦフレーム位置と広角端の補正値を含むものとする。
【００４１】
ステップＳ５０６において、ステップＳ５０２で取得したレンズ情報とカメラ記憶手段（４２）もしくは記録媒体（５０）に記録された画像ファイルのＥｘｉｆ情報にあるレンズ情報を比較し、一致した画像を取得し、ステップＳ５０８へ進む。ステップＳ５０８において、ステップＳ５０６で画像が存在すれば、ステップＳ５１０へ進み、画像が存在しなければステップＳ５１２へ進む。ステップＳ５１０において、ステップＳ５０６で読み出された画像を表示し、ステップＳ５１６へ進む。ステップＳ５１６において、ステップＳ５０４で読み出されたキャリブレーション情報に含まれる望遠端のＡＦフレーム位置からＡＦフレーム枠を表示し、処理を終了する。ステップＳ５１２において、画像が存在しないエラーを表示し、処理を終了する。なお、液晶モニタ（４３）にキャンセルボタン表示がされており、このキャンセルボタンを押すことで、１つ前の状態に戻ることができる。
【００４２】
ここで、補正値の表示に関するフローについて、図１１（ｂ）を用いて説明する。本フローは、補正値の表示画面（５００）において広角端画像表示ボタン（５０６）が押されたときに実行される。ここでは、図１１（ａ）との相違のみを述べる。ステップＳ５１４において、ステップＳ５０２で取得したレンズ情報とカメラ記憶手段（４２）もしくは記録媒体（５０）に記録された画像ファイルのＥｘｉｆ情報にあるレンズ情報を比較し、一致した画像を取得し、ステップＳ５０８へ進む。ステップＳ５１６において、ステップＳ５０４で読み出されたキャリブレーション情報に含まれる広角端のＡＦフレーム位置からＡＦフレーム枠を表示し、処理を終了する。以上、補正ないし調整を行った時の画像を読み出し表示することで、前ピン／後ピンの合焦位置の微調整などを行ったとしても、画像から視覚的に調整内容を確認することが可能になる。さらに、再調整時のユーザーの処理効率を高めることが可能になる。
【００４３】
［実施形態４］
実施形態４では、実施形態２で調整された補正値を表示する仕組みについて具体的に説明する。ここで、調整値の表示に関するフローについて、図１２を用いて説明する。本フローは、補正値の表示画面（５００）において望遠端画像表示ボタン（５０５）が押されたときに実行される。ここでは、実施形態３との相違点のみを述べる。ステップＳ５２０において、ステップＳ５０２で取得したレンズ情報とカメラ記憶手段（４２）もしくは記録媒体（５０）に記録されたメタデータファイルに含まれるレンズ情報を比較し、一致したメタデータファイルを取得し、ステップＳ５２２へ進む。ステップＳ５２２において、ステップＳ５２０においてメタデータが存在すれば、ステップＳ５０６へ進み、メタデータが存在しなければ、ステップＳ５２４へ進む。ステップＳ５０６において、ステップＳ５２０で取得したメタデータファイルに記録された望遠端の撮影画像ファイル名に一致する画像を取得し、ステップＳ５０８へ進む。ステップＳ５２４において、メタデータファイルが存在しないエラーを表示し、処理を終了する。ここでも、液晶モニタ（４３）にキャンセルボタン表示がされており、このキャンセルボタンを押すことで、１つ前の状態に戻ることができる。
【００４４】
ここで、補正値の表示に関するフローについて、図１３を用いて説明する。本フローは、補正値の表示画面（５００）において広角端画像表示ボタン（５０６）が押されたときに実行される。ここでは、図１２との相違のみを述べる。ステップＳ５１４において、ステップＳ５２０で取得したメタデータファイルに記録された広角端の撮影画像ファイル名に一致する画像を取得し、ステップＳ５０８へ進む。ステップＳ５２４において、メタデータファイルが存在しないエラーを表示し、処理を終了する。
【００４５】
以上、補正を行った時の画像を読み出し表示することで、前ピン／後ピンの合焦位置の微調整などを行ったとしても、画像から視覚的に調整内容を確認することが可能になる。さらに、再調整時のユーザーの処理効率を高めることが可能になる。
【００４６】
なお、上述した実施形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。また、コンピュータが読み出したプログラムコードを実行することにより、前述した各実施形態の機能が実現されるだけではない。そのプログラムコードの指示に基づき、コンピュータ上で稼動しているＯＳ（オペレーティングシステム）などが実際の処理の一部又は全部を行い、その処理によって前述した実施形態の機能が実現される場合も含まれている。さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した実施形態の機能が実現される場合も含むものである。
【００４７】
以上、本発明の好ましい実施形態について説明したが、本発明はこれらの実施形態に限定されず、その要旨の範囲内で種々の変形及び変更が可能である。
【符号の説明】
【００４８】
１・・レンズ本体、１０・・撮像光学系（レンズ）、４２・・読み取り手段、４２・・読み取り手段、４３・・表示手段
【図１】
2012233930.tif 000003
【図２】
2012233930.tif 000004
【図３】
2012233930.tif 000005
【図４】
2012233930.tif 000006
【図５】
2012233930.tif 000007
【図６】
2012233930.tif 000008
【図７】
2012233930.tif 000009
【図８】
2012233930.tif 000010
【図９】
2012233930.tif 000011
【図１０】
2012233930.tif 000012
【図１１】
2012233930.tif 000013
【図１２】
2012233930.tif 000014
【図１３】
2012233930.tif 000015